(57)【要約】【課題】  大型化した場合であっても故障や破損等し難い廃棄物供給装置を提供する。【解決手段】  分散板が、分散軸線周りの回動の径方向外側へ向けて突出し且つ受基準線に沿って受面上に設けられる第１仕切部と、分散軸線周りの回動の径方向外側へ向けて突出し且つ対向基準線に沿って対向面に設けられる第２仕切部とを備えてなり、基準姿勢から、第１仕切部と第２仕切部とが廃棄物を受け止める配置となるように分散軸線周りの一方向に回動し、更に、一方向に、受面が下側に対向面が上側になって当該対向面が廃棄物を受け止めるように回動し、その後、第１仕切部と第２仕切部とが廃棄物を受け止める配置となるように一方向とは反対の他方向に回動し、更に、他方向に、基準姿勢となるように回動するよう構成されている廃棄物供給装置。【選択図】図２
2011242130.tif 000002
【特許請求の範囲】
【請求項１】
廃棄物をその上方に積載すべく上方から投入される廃棄物を受け止めることができる受面と該受面の面方向に延設される分散軸線を介して受面に対向する対向面とを備え、前記受面は、その面上で且つ前記分散軸線方向に沿う方向の受基準線の両側が前記対向面側へ傾斜するよう構成され、前記対向面は、その面上で且つ前記分散軸線方向に沿う方向の対向基準線の両側が前記受面側へ傾斜するよう構成された分散板を備え、該分散板を、前記受面が上側となり且つ前記対向面が下側となって前記廃棄物を受け止める基準姿勢から前記分散軸線周りに回動させることによって、前記廃棄物を下方へ分散投入することができる廃棄物供給装置において、
前記分散板は、前記分散軸線周りの回動の径方向外側へ向けて突出し且つ前記受基準線に沿って前記受面上に設けられる第１仕切部と、前記分散軸線周りの回動の径方向外側へ向けて突出し且つ前記対向基準線に沿って前記対向面に設けられる第２仕切部とを備えてなり、前記基準姿勢から、第１仕切部と第２仕切部とが前記廃棄物を受け止める配置となるように前記分散軸線周りの一方向に回動し、更に、前記一方向に、受面が下側に対向面が上側になって当該対向面が前記廃棄物を受け止めるように回動し、その後、第１仕切部と第２仕切部とが前記廃棄物を受け止める配置となるように前記一方向とは反対の他方向に回動し、更に、前記他方向に、前記基準姿勢となるように回動するよう構成されていることを特徴とする廃棄物供給装置。
【発明の詳細な説明】
【技術分野】
【０００１】
本発明は、分散軸線周りに回動することによってその上方に積載されている廃棄物を下方へ分散投入することができる分散板を備える廃棄物供給装置に関する。
【背景技術】
【０００２】
従来、この種廃棄物供給装置としては、廃棄物をその上方に積載すべく上方から投入される廃棄物を受け止めることができる受面と該受面の面方向に延設される分散軸線を介して受面に対向する対向面とを備えた分散板を具備するものが知られている。
【０００３】
この受面は、その面上で且つ前記分散軸線方向に沿う方向の受基準線の両側が前記対向面側へ傾斜するよう構成されている。また、前記対向面は、その面上で且つ前記分散軸線方向に沿う方向の対向基準線の両側が前記受面側へ傾斜するよう構成されている。
【０００４】
かかる廃棄物供給装置は、その受面が上側となり且つその対向面が下側となって前記廃棄物を受け止める基準姿勢から前記分散軸線周りに分散板が回動することによって前記廃棄物を下方へ分散投入することができるものである（下記特許文献１参照）。
【先行技術文献】
【特許文献】
【０００５】
【特許文献１】特開２００３−３２９２２７号公報
【発明の概要】
【発明が解決しようとする課題】
【０００６】
しかしながら、上記従来の廃棄物供給装置にあっては、例えば該装置自体を大型化した場合などのように積載される廃棄物の量が多くなり、分散板の受面にかかる荷重が大きくなると、故障や破損等してしまうという問題があった。
【０００７】
そこで、本発明は、上記従来の問題に鑑みてなされ、例えば大型化した場合であっても故障や破損等し難い廃棄物供給装置を提供することを課題とする。
【課題を解決するための手段】
【０００８】
本発明は、上記課題を解決すべくなされたものであり、廃棄物をその上方に積載すべく上方から投入される廃棄物を受け止めることができる受面と該受面の面方向に延設される分散軸線を介して受面に対向する対向面とを備え、前記受面は、その面上で且つ前記分散軸線方向に沿う方向の受基準線の両側が前記対向面側へ傾斜するよう構成され、前記対向面は、その面上で且つ前記分散軸線方向に沿う方向の対向基準線の両側が前記受面側へ傾斜するよう構成された分散板を備え、該分散板を、前記受面が上側となり且つ前記対向面が下側となって前記廃棄物を受け止める基準姿勢から前記分散軸線周りに回動させることによって、前記廃棄物を下方へ分散投入することができる廃棄物供給装置において、前記分散板は、前記分散軸線周りの回動の径方向外側へ向けて突出し且つ前記受基準線に沿って前記受面上に設けられる第１仕切部と、前記分散軸線周りの回動の径方向外側へ向けて突出し且つ前記対向基準線に沿って前記対向面に設けられる第２仕切部とを備えてなり、前記基準姿勢から、第１仕切部と第２仕切部とが前記廃棄物を受け止める配置となるように前記分散軸線周りの一方向に回動し、更に、前記一方向に、受面が下側に対向面が上側になって当該対向面が前記廃棄物を受け止めるように回動し、その後、第１仕切部と第２仕切部とが前記廃棄物を受け止める配置となるように前記一方向とは反対の他方向に回動し、更に、前記他方向に、前記基準姿勢となるように回動するよう構成されていることを特徴とする。
【図面の簡単な説明】
【０００９】
【図１】本発明に係る廃棄物供給装置としての給じん装置の一実施形態を示す正面図。
【図２】同給じん装置の分散板を示す拡大図。
【図３】同給じん装置の解砕機を示す斜視図。
【図４】同給じん装置の分散投入工程を示す図であり、分散板が基準姿勢となっている様子を示す概略図。
【図５】同給じん装置の分散投入工程を示す図であり、分散板が一方向へ回動する様子を示す概略図。
【図６】同給じん装置の分散投入工程を示す図であり、分散板が図５の状態から更に一方向へ回動する様子を示す概略図。
【図７】同給じん装置の分散投入工程を示す図であり、分散板が図６の状態から他方向へ回動する様子を示す概略図。
【図８】同給じん装置の分散投入工程を示す図であり、分散板が図７の状態から他方向へ回動して基準姿勢となる様子を示す概略図。
【発明を実施するための形態】
【００１０】
以下、本発明に係る廃棄物供給装置の一実施形態について、図面を参照しつつ詳細に説明する。
図１に、本実施形態における廃棄物供給装置としての給じん装置１が示されている。該給じん装置１は、外部から投入される破砕された廃棄物を、該廃棄物を焼却するための焼却炉（図示しない）へ供給するための装置である。尚、本実施形態における焼却炉は、ガス化炉と溶融炉とを備えるガス化溶融炉である。従って、廃棄物は、破砕処理されて給じん装置１に投入され、該給じん装置１内で分散処理されると共に解砕処理され、ガス化溶融炉へ定量的に供給される。そして、給じん装置１から供給された廃棄物は、ガス化炉にて可燃性ガスとチャーとに分解され、当該可燃性ガスとチャーとが溶融炉に供給されて高温（約１３００℃）で燃焼される。これにより、チャーに含まれる灰分が溶融して溶融スラグが生成される。
【００１１】
かかる給じん装置１は、破砕された廃棄物が外部から投入される分散投入部２と、該分散投入部２から分散投入された廃棄物を搬送する搬送部３と、該搬送部３にて搬送される廃棄物を解砕する解砕部４とを備える。尚、本実施形態では、解砕部４と焼却炉とを連通する通路には、該通路を開閉するための開閉シール機構（図示しない）が設けられている。
【００１２】
分散投入部２は、破砕された廃棄物が積載される積載部５と、該積載部５の底部開口５１（分散投入口５１）を開閉する分散板６とを備える。積載部５は、上下方向に沿った筒状であり、上方側の頂部開口５２から破砕された廃棄物が投入されて分散板６の上に積載され、該廃棄物が下方側の底部開口５１から下方へ分散投入されるように構成されている。
【００１３】
分散板６は、前記底部開口５１を横切るように設けられる回動軸６０の軸線（分散軸線Ｃ１）周りに回動可能に構成されており、該回動によってその上方に積載されている廃棄物を下方側へ分散して投入することができるように構成されている。この分散板６は、図２に示すように、その断面形状が略十字形状となっており、該十字形状の各片が先細りになるように構成されている。即ち、分散板６は、縦方向に延設される縦片と該縦片に交差するように横方向に延設される横片とを備えてなり、それぞれの片が先端側ほどその厚みが薄くなるように構成されている。尚、前記回動軸６０は、縦片と横片とが交差する部分に配置されており、従って、分散板６は、前記各片の厚み方向へ回動する。また、本実施形態では、回動軸６０は、その軸線である分散軸線Ｃ１が水平方向に沿うように配置されている。
【００１４】
分散板６は、前記頂部開口５２から投入された廃棄物を受け止めて積載することができる受面６Ａおよび前記回動軸６０を介して受面６Ａに対向する対向面６Ｂを備える分散本体６１と、前記回動軸６０周りの回動の径方向外側へ向けて突出するように受面６Ａ上に立設される第１仕切部６２と、前記回動軸６０周りの回動の径方向外側へ向けて突出するように対向面６Ｂ上に立設される第２仕切部６３とを備える。
【００１５】
分散本体６１は、その幅方向両端側ほど先細りになった板状体であり、その厚みが幅方向中心側ほど厚く幅方向両端側ほど薄くなるように構成されている。より詳細に説明すると、分散本体６１は、その幅方向先端部同士を結んだ長軸線Ｌ１がその厚み方向先端部同士を結んだ短軸線Ｌ２よりも長くなっており、しかも、長軸線Ｌ１が短軸線Ｌ２の中点よりも一方側に位置ずれした状態で該短軸線Ｌ２と交差するように構成されている。一方、短軸線Ｌ２は、長軸線Ｌ１のほぼ中点にて該長軸線Ｌ１と交差している。尚、本実施形態では、長軸線Ｌ１と短軸線Ｌ２とは略直交しており、従って分散本体６１の断面形状は略菱形状となっている。
【００１６】
かかる分散本体６１は、長軸線Ｌ１を境として、前記一方側の表面（表面）が受面６Ａとなり、他方側の表面（裏面）が対向面６Ｂとなるように構成されている。従って、受面６Ａは、その面上で且つ前記分散軸線Ｃ１方向に沿う方向の受基準線Ｌ３（短軸線Ｌ２の一方側の先端を通る直線）を起点として長軸線Ｌ１の両端へ向けてそれぞれ傾斜するように形成されており、対向面６Ｂは、その面上で且つ前記分散軸線Ｃ１方向に沿う方向の対向基準線Ｌ４（短軸線Ｌ２の他方側の先端を通る直線）を起点として長軸線Ｌ１の両端へ向けてそれぞれ傾斜するように形成されている。換言すると、受面６Ａは、受基準線Ｌ３と起点としてその両側各々が対向面６Ｂに接近するように傾斜して形成されており、対向面６Ｂは、対向基準線Ｌ４を起点としてその両側各々が受面６Ａに接近するように傾斜して形成されている。また、長軸線Ｌ１と短軸線Ｌ２との交点が、短軸線Ｌ２の中点よりも一方側（受面６Ａ側）に位置ずれしているため、対向面６Ｂの傾斜は、受面６Ａの傾斜よりも大きくなっている。即ち、対向面６Ｂの長軸線Ｌ１に対する傾斜角度は、受面６Ａの長軸線Ｌ１に対する傾斜角度よりも大きくなっている。尚、受面６Ａの傾斜及び対向面６Ｂの傾斜には、直線状の傾斜だけでなく曲線状の傾斜等も含まれる。
【００１７】
かかる分散本体６１は、前記分散軸線Ｃ１周りに回動可能となるように前記回動軸６０に固定されている。具体的には、分散本体６１は、分散軸線Ｃ１が長軸線Ｌ１よりも対向面６Ｂ側に配置されるように回動軸６０に固定されており、本実施形態では、分散軸線Ｃ１が、短軸線Ｌ２上に配置されており、しかも、短軸線Ｌ２の中点を通るように配置されている。従って、分散本体６１の幅方向両端部（受面６Ａと対向面６Ｂとが交わる部分）は、分散軸線Ｃ１よりも受面６Ａ側の配置となる。
【００１８】
尚、本実施形態では、分散本体６１は、その断面が略菱形状である板状の基部６１１の表面に受板６１２を設けることによって構成されており、受板６１２の表面が前記受面６Ａとなり基部６１１の裏面が前記対向面６Ｂとなっている。尚、受板６１２の幅方向両端部６１２ａは、基部６１１の幅方向両端部６１１ａよりも外側に延設された延設部６１２ａとなっており、該延設部６１２ａには、受板６１２の延設部６１２ａから幅方向外側へ突出させることができる延長部６４が設けられている。前記受面６Ａは、この延長部６４が延設部６１２ａから幅方向外側へ突出されることによって、その面方向外側に延長されるようになっている。
【００１９】
第１仕切部６２は、受面６Ａ上に立設されて受面６Ａ付近の空間を仕切るように構成されている。具体的には、第１仕切部６２は、前記受基準線Ｌ３に沿って前記受面６Ａ上に立設される第１仕切壁６２１と、該第１仕切壁６２１に対して斜めに設けられる第１補強板６２２とを備える。
【００２０】
第１仕切壁６２１は、その長手方向の長さが分散本体６１の長手方向（分散軸線Ｃ１方向）の長さと略等しい薄板状であり、その長手方向が受基準線Ｌ３の方向に沿い、その幅方向が前記短軸線Ｌ２の方向に沿った状態で受面６Ａに立設されている。
【００２１】
第１補強板６２２は、第１仕切壁６２１がその厚み方向へ撓んだり倒れたりすること等を防止するためのもので、その長手方向の長さが第１仕切壁６２１の長手方向の長さと略等しい長さとなっている。この第１補強板６２２は、その幅方向一端部を第１仕切壁６２１に、他端部を受面６Ａにそれぞれ取り付けることによって第１仕切壁６２１に対して斜めに設けられており、第１仕切壁６２１の一面側および他面側の双方にそれぞれ設けられている。
【００２２】
かかる第１仕切部６２は、受面６Ａ付近の空間を、一方側の領域Ａ１と他方側の領域Ａ２とに仕切っている。具体的には、第１仕切部６２は、受面６Ａ付近の空間を、第１仕切壁６２１の一面側と他面側とに仕切っている。
【００２３】
第２仕切部６３は、対向面６Ｂ上に立設されて対向面６Ｂ付近の空間を仕切るように構成されている。具体的には、第２仕切部６３は、前記対向基準線Ｌ４に沿って前記対向面６Ｂ上に立設される第２仕切壁６３１と、該第２仕切壁６３１に対して斜めに設けられる第２補強板６３２とを備える。
【００２４】
第２仕切壁６３１は、その長手方向の長さが分散本体６１の長手方向（分散軸線Ｃ１方向）の長さと略等しい薄板状であり、その長手方向が対向基準線Ｌ４の方向に沿い、その幅方向が前記短軸線Ｌ２の方向に沿った状態で受面６Ａに立設されている。
【００２５】
第２補強板６３２は、第２仕切壁６３１がその厚み方向へ撓んだり倒れたりすること等を防止するためのもので、その長手方向の長さが第２仕切壁６３１の長手方向の長さと略等しい長さとなっている。この第２補強板６３２は、その幅方向一端部を第２仕切壁６３１に、他端部を対向面６Ｂにそれぞれ取り付けることによって第２仕切壁６３１に対して斜めに設けられており、第２仕切壁６３１の一面側および他面側の双方にそれぞれ設けられている。
【００２６】
かかる第２仕切部６３は、対向面６Ｂ付近の空間を、一方側の領域Ａ３と他方側の領域Ａ４とに仕切っている。具体的には、第２仕切部６３は、受面６Ａ付近の空間を、第２仕切壁６３１の一面側と他面側とに仕切っている。
【００２７】
かかる構成の分散板６は、受面６Ａが上側となり且つ対向面６Ｂが下側となる基準姿勢、具体的には、前記積載部５内に積載されている廃棄物が下方へ投入されないように分散本体６１が底部開口５１を閉塞する基準姿勢から、分散軸線Ｃ１周りに回動することによって、積載部５内に積載されている廃棄物を、順次下方側の搬送部３へ分散投入することができるように構成されている。
【００２８】
具体的には、分散板６は、前記基準姿勢から、第１仕切部６２と第２仕切部６３とが廃棄物を受け止める配置（即ち、底部開口５１を閉塞する位置）となるように前記分散軸線Ｃ１周りの一方向Ｘに回動（第１回動）し、更に、当該一方向Ｘに、受面６Ａが下側に対向面６Ｂが上側になって分散本体６１が底部開口５１を閉塞する位置となるように回動（第２回動）し、その後、第１仕切部６２と第２仕切部６３とが底部開口５１を閉塞するように前記一方向Ｘとは反対の他方向Ｙに回動（第３回動）し、更に、当該他方向Ｙに、基準姿勢となるように回動（第４回動）することによって、１サイクルの分散投入工程を行うように構成されている。尚、この第１乃至第４回動の回動角度は、それぞれ分散軸線Ｃ１周りに３０°乃至１００°の範囲内で設定することができるが、より確実な分散投入を行うためそれぞれ９０°と設定するのが好ましい。また、分散投入工程は、前記第１乃至第４回動を１サイクルとするものに限らず、例えば、第１及び第４回動を１サイクルとすることもできる。具体的には、前記基準姿勢（図４参照）から、第１仕切部６２と第２仕切部６３とが底部開口５１を閉塞する状態となるように、分散板６が分散軸線Ｃ１周りの一方向Ｘに回動し（図５参照）、その後、前記基準姿勢となるように、分散板６が前記他方向Ｙに回動する（図８参照）ことで１サイクルとなるように設定することもできる。尚、かかる分散板６の回動は、後述の分散投入量調整部８にて制御されている。
【００２９】
搬送部３は、図１に示すように、分散投入部２の下端部に連設されており、分散投入部２より分散投入された廃棄物を搬送方向にならしつつ下流側へ搬送する。搬送部３は、廃棄物を下流側に搬送するための搬送機７と、搬送される廃棄物の搬送量を計測して分散投入量を調整する分散投入量調整部８と、搬送される廃棄物を搬送方向にならす圧密防止部９とを備える。
【００３０】
搬送機７は、その軸線（搬送軸線Ｃ２）回りに回転するスクリューであり、搬送の上流端部となる基端部７１が軸支され、搬送の下流端部となる先端部７２が自由端となっている。搬送機７は、その基端部７１が分散投入部２の下方側に位置するように配置されている。尚、本実施形態では、搬送軸線Ｃ２は水平方向に形成されており、分散軸線Ｃ１の方向に交差する方向に形成されている。また、搬送機７は単数設ける場合であっても並列して複数設ける場合であってもよい。
【００３１】
かかる搬送機７は、その基端部７１側に設けられた搬送駆動部７３によって搬送軸線Ｃ２回りの回転が制御されており、当該回転によって、基端部７１側（上流側）から先端部７２側（下流側）へ向けて廃棄物を搬送する。
【００３２】
分散投入量調整部８は、搬送機７上を搬送される廃棄物の量を計測する計測器８１と、該計測器８１の計測結果に基づいて、分散投入部２からの廃棄物の分散投入量を調整すべく分散板６の回動を制御する制御部８２とを備える。計測器８１は、搬送機７の基端部７１の上方側（分散投入部２の下方側）に配置されており、搬送機７上にて搬送方向にならされて搬送される廃棄物の搬送高さ位置を計測することによって搬送される廃棄物の量を計測するよう構成されている。尚、本実施形態において計測器８１は垂直方向に設置しているが、水平方向に設置してもよい。また、廃棄物の搬送高さ位置とは、搬送機７上を搬送される廃棄物の上面の搬送機７からの高さ位置をいう。
【００３３】
制御部８２は、計測器８１の計測結果に基づいて、計測された廃棄物の搬送高さ位置が、所定の高さ位置よりも高い位置である場合には搬送される廃棄物の量が多いと判定し、所定の高さ位置よりも低い位置である場合には搬送される廃棄物の量が少ないと判定する判定部８２１と、該判定部８２１での判定結果によって、分散板６の分散軸線Ｃ１回りの回動を調整する分散調整部８２２とを備える。
【００３４】
かかる制御部８２は、例えば、判定部８２１が搬送される廃棄物の量が多いと判定した場合には、該判定結果に基づいて、分散調整部８２２が、例えば前記第１乃至第４回動の回動速度を遅くするなどして分散板６の分散投入工程のサイクルピッチを長くし、搬送部に分散投入される廃棄物の量を減らすように分散板６を制御する。逆に、判定部８２１が搬送される廃棄物の量が少ないと判定した場合には、該判定結果に基づいて、分散調整部８２２が、例えば前記第１乃至第４回動の回動速度を速くするなどして分散板６の分散投入工程のサイクルピッチを短くし、搬送部に分散投入される廃棄物の量を増やすように分散板６を制御する。
【００３５】
尚、本実施形態では、制御部８２には、前記所定の高さ位置よりも高い位置に限界高さ位置が設定されている。よって、計測された廃棄物の搬送高さ位置が当該限界高さ位置を超えている場合には、判定部８２１にて搬送される廃棄物の量が限界量であると判定し、該判定結果に基づいて、分散調整部８２２は、分散板６を基準姿勢にして分散投入口５１を閉塞し、分散投入部２からの廃棄物の分散投入を停止させるようになっている。
【００３６】
尚、制御部８２は、分散板６による分散投入工程を一定時間以上継続しても判定部８２１にて限界量に達しない場合に、分散調整部８２２にて分散板６による分散投入工程のサイクルピッチを更に短くし、搬送部に分散投入される廃棄物の量を更に増やすように分散板６を制御する構成とすることも可能である。
【００３７】
圧密防止部９は、搬送機７の先端部７２（下流端部）の上方に配置されており、搬送機７によって搬送される廃棄物を搬送方向にならすように構成されている。具体的には、圧密防止部９は、搬送方向に揺動する圧密防止機１０を備えている。該圧密防止機１０は、その断面が略扇形状で水平方向に沿った柱体であり、扇形状の中心を通る軸線（圧密軸線Ｃ３）回りに搬送方向に揺動自在に構成されている。尚、圧密軸線Ｃ３は、その方向が搬送軸線Ｃ２の方向に交差するように配置されており、本実施形態では、分散軸線Ｃ１と平行になるように配置されている。
【００３８】
解砕部４は、搬送部３の下流側に連設され、図示しない通路を介して焼却炉に連通しており、搬送部３にて搬送される廃棄物を解砕する（ほぐす）ように構成されている。解砕部４は、その軸線（解砕軸線Ｃ４）回りに一方向及び他方向の何れの方向にも回転可能に構成された解砕機１１と、該解砕機１１に対し径方向に接離するように構成された流量調整機１２とを備える。
【００３９】
解砕機１１は、図３に示すように、略円柱状のドラム形状であり、その径方向に突設される突設部１１１が周方向に所定間隔を空けて複数配設されて構成されている。具体的には、解砕機１１は、前記複数の突設部１１１をそれぞれ備える第１胴部１１ａと第２胴部１１ｂとが軸線方向に連設されてなり、第１胴部１１ａと第２胴部１１ｂとは、第１胴部１１ａの各突設部１１１間に第２胴部１１ｂの各突設部１１１が位置するように、同軸上で連設されている。即ち、第１胴部１１ａの複数の突設部１１１と第２胴部１１ｂの複数の突設部１１１とは、周方向に位置ずれした配置となっている。また、第１胴部１１ａと第２胴部１１ｂとの境界部、及び、第１胴部１１ａと第２胴部１１ｂとの各々の前記境界部とは反対側の端部には、それぞれ、周方向全周に亘って径方向に延設された鍔状の仕切り部１１２が形成されている。
【００４０】
かかる解砕機１１は、図１に示すように、搬送機７の先端部７２よりも搬送方向下流側に配置されており、しかも、その解砕軸線Ｃ４が搬送軸線Ｃ２よりも下方側になるように配置されてその両端部が軸支されている。
【００４１】
解砕機１１には、その解砕軸線Ｃ４回りの回転を制御する解砕駆動部１３が接続されている。具体的には、解砕駆動部１３は、解砕機１１の解砕軸線Ｃ４回りの一方向への回転と、当該一方向への回転とは逆の他方向への回転とを切り換えることができるように構成されており、解砕機１１の一方向への回転を停止させて他方向への回転に切り換えたり他方向への回転を停止させて一方向への回転に切り換えたりすることができる。
【００４２】
尚、解砕機１１の一方向への回転とは、突設部１１１のうち、上方側に位置する突設部１１１が搬送方向上流側に回動し、下方側に位置する突設部１１１が搬送方向下流側に回動する回転である。即ち、解砕機１１の一方向への回転とは、搬送機７にて搬送される廃棄物を掻き落とすような回転である。一方、解砕機１１の他方向への回転とは、上方側に位置する突設部１１１が搬送方向下流側に回動し、下方側に位置する突設部１１１が搬送方向上流側に回動する回転である。即ち、解砕機１１の他方向への回転とは、搬送機７にて搬送される廃棄物を掻き上げるような回転である。
【００４３】
また、解砕駆動部１３は、解砕機１１の一方向への回転の回転速度と他方向への回転の回転速度とを制御することができ、本実施形態では、一方向への回転の回転速度と他方向への回転の回転速度とが略等しい回転速度（例えば、３０〜１００ｒｐｍ）となるように制御する。
【００４４】
流量調整機１２は、解砕機１１の軸線方向の長さに対応した長さを有する板状体であり、解砕機１１よりも搬送方向下流側に配置されている。即ち、流量調整機１２と搬送機７とは、搬送軸線Ｃ２方向に離間して配置されており、当該流量調整機１２と搬送機７との間の領域に解砕機１１が配置されている。
【００４５】
流量調整機１２は、解砕軸線Ｃ４と略平行に配置される流量軸線Ｃ５回りで回動自在となるように、その基端部が軸支されており、当該基端部に接続された流量駆動部１４によって流量軸線Ｃ５回りの回動が制御されている。即ち、流量駆動部１４は、流量調整機１２の流量軸線Ｃ５回りの回動を制御することによって、流量調整機１２と解砕機１１との間の隙間を広くしたり狭くしたりして調整することができるように構成されている。このように、解砕機１１と流量調整機１２との間の隙間の広さを調整することにより、当該隙間に廃棄物が蓄積されないようにすると共に解砕部４から焼却炉へ供給される廃棄物の量を調整することができる。尚、流量軸線Ｃ５は、解砕軸線Ｃ４よりも上方側に配置されている。
【００４６】
続いて、以上のような構成の給じん装置１による焼却炉への廃棄物の供給について説明する。
給じん装置１を作動させると、分散板６が分散投入量調整部８に制御されて分散軸線Ｃ１周りに回動して分散投入工程を開始し、搬送機７が搬送駆動部７３に制御されて回転し、解砕機１１が解砕駆動部１３に制御されて一方向へ回転し、流量調整機１２が流量駆動部１４に制御されて解砕機１１との間の隙間を調整する。
【００４７】
分散投入部２の頂部開口５２から投入されて積載部５内に積載されている廃棄物は、分散板６の分散投入工程によって積載部５の底部開口５１から搬送部３内へ分散投入される。
【００４８】
ここで、かかる分散投入工程を、図４乃至８を参照して更に詳しく説明する。
まず、分散本体６１が受面６Ａを上側にして底部開口５１を閉塞する基準姿勢（図４参照）から、第１仕切部６２と第２仕切部６３とが底部開口５１を閉塞する状態（図５参照）となるように、分散板６が分散軸線Ｃ１周りの一方向Ｘに回動する、つまり、前記第１回動をする際には、受面６Ａの一方側の領域Ａ１に積載されている廃棄物は下方側の搬送部３に分散投入される一方で、受面６Ａの他方側の領域Ａ２に積載されている廃棄物は分散投入されることなく当該回動に伴って移動して当該他方側Ａ２に積載されたままで残存する。併せて、対向面６Ｂの一方側の領域Ａ３には、その上方に積載されている廃棄物が下降して該領域に新たに積載される。
【００４９】
次に、図５に示す状態から、分散本体６１が対向面６Ｂを上側にして底部開口５１を閉塞する状態（図６参照）となるように、分散板６が前記一方向Ｘに更に回動する、つまり、前記第２回動をする際には、受面６Ａの他方側の領域Ａ２に積載されている廃棄物（第１回動の際に残存した廃棄物）は下方側の搬送部３へ分散投入される一方で、対向面６Ｂの一方側の領域Ａ３に積載されている廃棄物は分散投入されることなく当該回動に伴って移動して当該一方側Ａ３に積載されたまま残存する。併せて、対向面６Ｂの他方側の領域Ａ４には、その上方に積載されている廃棄物が下降して該領域に新たに積載される。
【００５０】
次に、図６に示す状態から、第１仕切部６２と第２仕切部６３とが底部開口５１を閉塞する状態（図７参照）となるように、分散板６が前記一方向Ｘとは反対の他方向Ｙに回動する、つまり、前記第３回動をする際には、対向面６Ｂの他方側の領域Ａ４に積載されている廃棄物（第２回動の際に当該他方側の領域Ａ４に新たに積載した廃棄物）は下方側の搬送部３へ分散投入される一方で、対向面６Ｂの一方側の領域Ａ３に積載されている廃棄物（第２回動の際に残存した廃棄物）は分散投入されることなく当該回動に伴って移動して当該一方側Ａ３に残存する。併せて、受面６Ａの他方側の領域Ａ２には、その上方に積載されている廃棄物が下降して該領域に新たに積載される。
【００５１】
最後に、図７に示す状態から、前記基準姿勢（図８参照）となるように、分散板６が前記他方向Ｙに更に回動する、つまり、前記第４回動をする際には、対向面６Ｂの一方側の領域Ａ３に積載されている廃棄物（第３回動の際に残存した廃棄物）は下方側の搬送部３へ分散投入される一方で、受面６Ａの他方側の領域Ａ２に積載されている廃棄物は分散投入されることなく当該回動に伴って移動して当該他方側Ａ２に積載されたまま残存する。併せて、受面６Ａの一方側の領域Ａ１には、その上方に積載されている廃棄物が下降して該領域に新たに積載される。
【００５２】
このようにして、第１乃至第４回動を１サイクルとする分散投入工程が少なくとも１回以上行われることによって、分散投入部２から搬送部３へと廃棄物が投入される。ここで、各回動の際に分散投入されずに残存する廃棄物は各回動に伴って移動するため、積載された廃棄物は、その重みで固まる（圧密する）ことなく解された状態となる。よって、廃棄物が固まって（圧密して）しまうことによる分散投入不良や分散板６の回動不良等をなくして、良好且つ確実に分散投入することができる。しかも、第１仕切部６２及び第２仕切部６３によって廃棄物を仕切る（小分けする）ことができるので、より高精度に廃棄物の分散投入量等の制御を行うことができる。
【００５３】
そして、搬送部３内へ投入された廃棄物は、搬送機７の回転によって下流側へ搬送されながらその途中で圧密防止機１０によって搬送方向にならされて均一化された状態で搬送機７の先端部７２から解砕部４へ落下供給される。
【００５４】
そして、解砕部４へ落下供給された廃棄物は、解砕機１１の一方向への回転によって解砕されて（ほぐされて）下方側へ送られる。具体的には、廃棄物は、解砕機１１の隣り合う突設部１１１の間の隙間に落下し、突設部１１１によって下方へ掻き落とされるようにして解砕されて下方側へ送られ、焼却炉内へ供給される。
【００５５】
以上のような構成の給じん装置１にあっては、前記受面６Ａが前記受基準線Ｌ３を起点として前記長軸線Ｌ１の端部へ向けて傾斜して形成されている、つまり、受面６Ａが前記受基準線Ｌ３からその面方向に離間するほど対向面６Ｂに接近するように傾斜して形成されているので、積載部５内に積載される廃棄物による分散板６への荷重を当該傾斜方向に分散して（逃がして）軽減することができる。
【００５６】
また、長軸線Ｌ１と短軸線Ｌ２との交点が、短軸線Ｌ２の中点よりも一方側（受面６Ａ側）に位置ずれしているため、対向面６Ｂの傾斜が受面６Ａの傾斜よりも大きくなっている、即ち、対向面６Ｂの長軸線Ｌ１に対する傾斜角度は、受面６Ａの長軸線Ｌ１に対する傾斜角度よりも大きくなっているので、受面６Ａにかかる廃棄物による荷重に対して対向面６Ｂが突っ張るように受面６Ａを支えることとなる。
【００５７】
更に、分散板６は、前記基準姿勢において受面６Ａと対向面６Ｂとの交線が前記分散軸線Ｃ１よりも上側となるように構成されている、即ち、分散軸線Ｃ１が長軸線Ｌ１よりも対向面６Ｂ側に配置されるので、分散軸線Ｃ１に対して受面６Ａ側が対向面６Ｂ側に比して厚肉となり、廃棄物の積載による荷重を主として受ける受面６Ａ側の強度が大きくなる。
【００５８】
従って、例えば給じん装置１を大型化して（具体的には積載部５を大型化して）分散板６の受面６Ａにかかる荷重が大きくなった場合であっても、その荷重に耐えて故障や破損等し難くなる。
【００５９】
また、受面６Ａ付近の空間が第１仕切部６２によって一方側の領域Ａ１と他方側の領域Ａ２とに仕切られ、対向面６Ｂ付近の空間が第２仕切部６３によって一方側の領域Ａ３と他方側の領域Ａ４とに仕切られているので、分散投入工程において、各領域に新たに廃棄物が積載される際に受面６Ａ或いは対向面６Ｂにかかる荷重が分散され（小分けにされ）て軽減されることとなるので、より一層故障や破損等し難くなる。
【００６０】
尚、本実施形態では、分散軸線Ｃ１が短軸線Ｌ２の中点に配置される場合について説明したが、これに限らず、短軸線Ｌ２上であって且つ短軸線Ｌ２の中点よりも対向面６Ｂ側に配置される場合であってもよい。
【００６１】
また、本実施形態では、分散板６が第１仕切部６２と第２仕切部６３とを備える場合について説明したが、これに限らず、第１仕切部６２のみを備える場合であってもよい。或いは、第１仕切部６２及び第２仕切部６３の双方を備えず、分散本体６１のみ備える場合であってもよい。
【００６２】
更に、本実施形態では、第１及び第２仕切部６３が第１及び第２仕切壁６３１と第１及び第２補強板６３２とをそれぞれ備える場合について説明したが、これに限らず、例えば、第１仕切壁６２１と第１補強板６２２とを一体に形成し、第２仕切壁６３１と第２補強板６３２とを一体に形成することもできる。また、第１仕切部６２と第２仕切部６３との構成を異なる構成とすることも可能である。
【００６３】
また更に、本実施形態では、解砕機１１が第１胴部１１ａと第２胴部１１ｂとを備える場合について説明したが、これに限られず、例えば第１胴部１１ａのみで構成することもできるし、或いは３つ以上の胴部にて構成することもできる。
【００６４】
また、本実施形態では、流量調整機１２を解砕軸線Ｃ４と略平行に配置される流量軸線Ｃ５回りで回動自在である場合について説明したが、これに限られず、流量調整機１２はＣ５回りで回動自在でなく固定とされ、解砕機１１に廃棄物が巻き付かないように配置されたものであってもよい。
【００６５】
更に、本実施形態では、焼却炉としてガス化溶融炉の場合について説明したが、これに限らず、その他の焼却炉についても適用が可能である。
【００６６】
尚、廃棄物供給装置は、廃棄物をその上方に積載すべく上方から投入される廃棄物を受け止めることができる受面と該受面の面方向に延設される分散軸線を介して受面に対向する対向面とを備え、前記受面は、その面上で且つ前記分散軸線方向に沿う方向の受基準線の両側が前記対向面側へ傾斜するよう構成され、前記対向面は、その面上で且つ前記分散軸線方向に沿う方向の対向基準線の両側が前記受面側へ傾斜するよう構成された分散板を備え、該分散板を、前記受面が上側となり且つ前記対向面が下側となって前記廃棄物を受け止める基準姿勢から前記分散軸線周りに回動させることによって、前記廃棄物を下方へ分散投入することができる廃棄物供給装置において、前記分散板は、前記対向面の傾斜が前記受面の傾斜よりも大きくなっており、しかも、前記基準姿勢において前記受面と前記対向面との交線が前記分散軸線よりも上側となるように構成することもできる。
【００６７】
該構成の廃棄物供給装置にあっては、廃棄物を分散投入するための前記分散板の受面が前記受基準線の両側が前記対向面側へ傾斜するように構成されている、即ち、受面が受基準線を起点として該基準線からその面方向に離間するほど対向面に接近するように傾斜している構成であるので、その上方に積載される廃棄物による荷重を当該傾斜方向に分散して（逃がして）軽減することができる。
【００６８】
また、対向面が前記対向基準線の両側が前記受面側へ傾斜するよう構成されている、即ち、対向面が対向基準線を起点として該基準線からその面方向に離間するほど受面に接近するように傾斜して形成されており、かかる対向面の傾斜が前記受面の傾斜よりも大きくなっているので、受面にかかる荷重に対して対向面が突っ張るように受面を支えることとなる。
【００６９】
更に、分散板は、前記基準姿勢において受面と対向面との交線が前記分散軸線よりも上側となるように構成されているので、分散軸線に対して対向面側よりも受面側が厚肉となり、廃棄物の積載による荷重を主として受ける受面側の強度が大きくなる。よって、例えば廃棄物供給装置を大型化して分散板の受面にかかる荷重が大きくなった場合であっても、その荷重に耐えて故障や破損等し難くなる。
【００７０】
また、前記受面には、前記受基準線に沿って、前記分散軸線周りの回動の径方向外側へ向けて突出する仕切部が設けられていることが好ましい。
【００７１】
かかる仕切部を設けた構成とすると、前記基準姿勢において前記受面の上方に積載された廃棄物のうち受面付近の廃棄物は、当該仕切部を境に一方側と他方側とに仕切られた（小分けにされた）状態となる。その状態で、分散板を分散軸線周りに回動させると、例えば一方側の廃棄物のみが下方へ分散投入されることとなる。
【００７２】
その後再び、前記基準姿勢となると、受面上に新たに廃棄物が積載されるのであるが、その際、新たに廃棄物が積載されるのは、受面全域ではなく、前記一方側の領域のみとなる。従って、廃棄物が積載される際の受面にかかる荷重は分散される（小分けにされる）こととなるので、より一層故障や破損等し難くなる。
【００７３】
更に、前記分散板は、前記分散軸線周りの回動の径方向外側へ向けて突出し且つ前記受基準線に沿って前記受面上に設けられる第１仕切部と、前記分散軸線周りの回動の径方向外側へ向けて突出し且つ前記対向基準線に沿って前記対向面に設けられる第２仕切部とを備えてなり、前記基準姿勢から、第１仕切部と第２仕切部とが前記廃棄物を受け止める配置となるように前記分散軸線周りの一方向に回動し、更に、前記一方向に、受面が下側に対向面が上側になって当該対向面が前記廃棄物を受け止めるように回動し、その後、第１仕切部と第２仕切部とが前記廃棄物を受け止める配置となるように前記一方向とは反対の他方向に回動し、更に、前記他方向に、前記基準姿勢となるように回動するよう構成されていることが好ましい。
【００７４】
このような構成であると、基準姿勢から第１仕切部と第２仕切部とが廃棄物を受け止める配置となるように分散軸線周りの一方向に回動（第１回動）する際には、例えば、受面付近において第１仕切部を境に一方側と他方側とに仕切られている（小分けされている）廃棄物のうち、一方側の廃棄物は下方に分散投入される一方で、他方側の廃棄物は分散投入されずに当該回動に伴って移動して当該他方側に残存する。併せて、対向面の第２仕切部によって一方側と他方側とに仕切られた領域のうち一方側の領域に新たに廃棄物が積載される。
【００７５】
その状態から更に、前記一方向に、受面が下側に対向面が上側になって当該対向面が廃棄物を受け止めるように回動（第２回動）する際には、受面の他方側の領域の廃棄物（第１回動の際に残存した廃棄物）は下方へ分散投入される一方で、対向面の一方側の廃棄物は分散投入されずに当該回動に伴って移動して当該一方側に残存する。併せて、対向面の他方側の領域に新たに廃棄物が積載される。
【００７６】
その後、かかる状態から、第１仕切部と第２仕切部とが廃棄物を受け止める配置となるように前記一方向とは反対の他方向に回動（第３回動）する際には、対向面の他方側の廃棄物（第２回動の際に新たに積載した廃棄物）は下方へ分散投入される一方で、対向面の一方側の廃棄物（第２回動の際に残存した廃棄物）は分散投入されずに当該回動に伴って移動して当該一方側に残存する。併せて、受面の他方側の領域に新たに廃棄物が積載される。
【００７７】
その状態から更に、前記他方向に、基準姿勢となるように回動（第４回動）する際には、対向面の一方側の廃棄物（第３回動の際に残存した廃棄物）は下方へ分散投入される一方で、受面の他方側の廃棄物は分散投入されずに当該回動に伴って移動して当該他方側に残存する。併せて、受面の一方側の領域に新たに廃棄物が積載される。
【００７８】
このように、分散軸線周りの一方向への第１及び第２回動と他方向への第３及び第４回動とで１サイクルの分散投入工程となるのであるが、ここで、各回動の際に分散投入されずに残存する廃棄物は各回動に伴って移動するため、積載された廃棄物は、その重みで固まる（圧密する）ことなく解された状態となる。よって、廃棄物が固まって（圧密して）しまうことによる分散投入不良や分散板の回動不良等をなくして、良好且つ確実に分散投入することができる。しかも、第１仕切部及び第２仕切部によって廃棄物を仕切る（小分けする）ことで、より高精度に廃棄物の分散投入量等の制御を行うことができる。
【符号の説明】
【００７９】
１…給じん装置、２…分散投入部、３…搬送部、４…解砕部、５…積載部、６…分散板、６Ａ…受面、６Ｂ…対向面、７…搬送機、８…分散投入量調整部、９…圧密防止部、１０…圧密防止機、１１…解砕機、１１ａ…第１胴部、１１ｂ…第２胴部、１２…流量調整機、１３…解砕駆動部、１４…流量駆動部、５１…底部開口（分散投入口）、５２…頂部開口、６０…回動軸、６１…分散本体、６２…第１仕切部、６３…第２仕切部、６４…延長部、７３…搬送駆動部、８１…計測器、８２…制御部、１１１…突設部、１１２…仕切り部、６１１…基部、６１２…受板、６１２ａ…延設部、６２１…第１仕切壁、６２２…第１補強板、６３１…第２仕切壁、６３２…第２補強板、８２１…判定部、８２２…分散調整部、Ａ１…受面の一方側の領域、Ａ２…受面の他方側の領域、Ｃ１…分散軸線、Ｃ２…搬送軸線、Ｃ３…圧密軸線、Ｃ４…解砕軸線、Ｃ５…流量軸線、Ｌ１…長軸線、Ｌ２…短軸線、Ｌ３…受基準線、Ｌ４…対向基準線、Ｘ…一方向、Ｙ…他方向
【図１】
2011242130.tif 000003
【図２】
2011242130.tif 000004
【図３】
2011242130.tif 000005
【図４】
2011242130.tif 000006
【図５】
2011242130.tif 000007
【図６】
2011242130.tif 000008
【図７】
2011242130.tif 000009
【図８】
2011242130.tif 000010